(57)【要約】【課題】ＤＰ店等に設置されるプリント注文受付装置１を含むプリントシステムにおいて、その受付装置１における受付操作の時間を短縮する。【解決手段】プリント注文受付装置１と、プリント装置３と、サーバ７とを備える。プリント注文受付装置１は、読込手段１１によって読み込んだ画像情報をサーバ７に通信回線６を介して送信する制御手段２０を有し、サーバ７は、画像情報を記憶する記憶手段７８と、顧客が所有する注文入力装置８から通信回線６を介して送信された入力信号を受信して、画像情報のプリントに必要な注文情報を設定しかつ、その設定した注文情報と画像情報とを互いに対応付けて記憶手段７８に記憶させる制御手段７０と、を有する。【選択図】図２
2006331228.tif 000002
【特許請求の範囲】
【請求項１】
画像情報を読み込む読込手段を有するプリント注文受付装置と、上記プリント注文受付装置によって読み込まれた画像情報のプリントを行うプリント装置と、を備えたプリントシステムであって、
上記プリント注文受付装置及びプリント装置に対して通信回線を介して接続されたサーバをさらに備え、
上記プリント注文受付装置は、上記読込手段によって読み込んだ画像情報を上記サーバに上記通信回線を介して送信する制御手段をさらに有し、
上記サーバは、上記プリント注文受付装置から送信された画像情報を受信して、その画像情報を記憶する記憶手段と、顧客が所有する注文入力装置から上記通信回線を介して送信された入力信号を受信して、その入力信号に基づき、上記記憶手段に記憶されている画像情報のプリント注文受付処理を実行する制御手段と、を有し、
上記サーバの制御手段は、上記注文入力装置からの入力信号に基づいて、上記画像情報のプリントに必要な注文情報を設定しかつ、その設定した注文情報と上記画像情報とを互いに対応付けて上記記憶手段に記憶させるプリントシステム。
【請求項２】
請求項１に記載のプリントシステムにおいて、
上記プリント装置は、上記サーバの記憶手段に記憶されている注文情報及び画像情報を上記通信回線を介して読み込みかつ、その注文情報に基づいて読み込んだ画像情報のプリントを実行するプリントシステム。
【請求項３】
請求項１に記載のプリントシステムにおいて、
上記プリント注文受付装置は、受付証をプリント出力する受付証出力手段をさらに有し、
上記プリント注文受付装置の制御手段は、読み込んだ画像情報にＩＤ情報を付与した上で、これを上記サーバに上記通信回線を介して送信すると共に、上記注文入力装置が上記通信回線を介して上記サーバに接続するためのアドレスの情報と、上記画像情報に付与したＩＤ情報とを記載した受付証を、上記受付証出力手段に対し出力させ、
上記サーバの制御手段は、上記アドレス情報及びＩＤ情報に従って上記サーバに接続された注文入力装置からの入力信号に基づいて設定した注文情報と上記画像情報とを互いに対応付けて上記記憶手段に記憶させるプリントシステム。
【請求項４】
プリント注文受付装置が、画像情報を読み込む読込ステップと、
上記プリント注文受付装置が、上記読み込んだ画像情報を通信回線を介してサーバに送信する送信ステップと、
上記サーバが、上記プリント注文受付装置から送信された画像情報を記憶する記憶ステップと、
上記サーバが、顧客が所有する注文入力装置から上記通信回線を介して送信された入力信号を受信して、その入力信号に基づく注文情報を上記画像情報に対応付けて記憶する第２の記憶ステップと、
上記プリント装置が、上記サーバに記憶されている注文情報及び画像情報を上記通信回線を介して読み込んで、その注文情報に基づき画像情報のプリントを実行するプリントステップと、を含むプリント方法。
【発明の詳細な説明】
【技術分野】
【０００１】
本発明は、画像情報についてのプリント注文を受け付け、その注文に従って上記画像情報をプリントするプリントシステム及びプリント方法に関する。
【背景技術】
【０００２】
例えば特許文献１には、ＤＰ店等に設置される写真プリント装置とプリント注文受付装置とを含むプリントシステムが開示されている。このシステムにおいて受付装置は、記憶媒体から画像情報を読み込む読込手段としての媒体ドライブと、表示手段としての液晶画面と、入力手段としてのタッチパネルと、を備えていて、上記液晶画面にプリント注文画面を順に表示しながら、各プリント注文画面において、顧客がタッチパネルの操作により所望の選択及び設定等を行い、それによって、記憶媒体に記憶されている画像情報のプリント注文を受け付ける注文処理を行う。そうして、注文入力の完了後に、顧客に渡すための注文受付証控えを印字する。
【０００３】
このプリントシステムでは、上述したように受付装置から出力された受付証を顧客がＤＰ店の担当者に手渡しすることによって、その担当者が、受付装置からプリント情報をネットワークを介して写真プリント装置に取り込んで、その写真プリント装置によって上記画像情報の複写画像を銀塩印画紙に形成すると共に、プリントされた印画紙を代金と引き換えに顧客に手渡しするようになっている。
【特許文献１】特開２００３−７５９３０号公報
【発明の開示】
【発明が解決しようとする課題】
【０００４】
ここで、上記プリントシステムにおける受付装置はＤＰ店の省力化に寄与するため原則として顧客自らによって操作されるものであるが、プリント注文に必要なプリント情報は、例えばプリントサイズ、プリントする画像情報の選択及びそのプリント枚数等、多数あるため、顧客は、受付装置の前で、その多数の設定項目の全てを設定しなければならない。そのため、一人の顧客が受付装置を占有する時間が長くなってしまい、受付装置の順番待ちの時間が長くなってしまう場合がある。
【０００５】
本発明は、かかる点に鑑みてなされたものであり、その目的とするところは、ＤＰ店等に設置されるプリント注文受付装置を含むプリントシステムにおいて、その受付装置における受付操作の時間を短縮することにある。
【課題を解決するための手段】
【０００６】
本発明は、プリント注文受付装置においては画像情報を読み込むことのみを行い、プリント注文に必要なプリント情報の設定は、上記受付装置とは別の、例えばＰＣや携帯電話等の顧客が所有する注文入力装置において行うようにした。
【０００７】
つまり、本発明のプリントシステムは、画像情報を読み込む読込手段を有するプリント注文受付装置と、上記プリント注文受付装置によって読み込まれた画像情報のプリントを行うプリント装置と、を備えたシステムである。
【０００８】
このシステムは、上記プリント注文受付装置及びプリント装置に対して通信回線を介して接続されたサーバをさらに備え、上記プリント注文受付装置は、上記読込手段によって読み込んだ画像情報を上記サーバに上記通信回線を介して送信する制御手段をさらに有し、上記サーバは、上記プリント注文受付装置から送信された画像情報を受信して、その画像情報を記憶する記憶手段と、顧客が所有する注文入力装置から上記通信回線を介して送信された入力信号を受信して、その入力信号に基づき、上記記憶手段に記憶されている画像情報のプリント注文受付処理を実行する制御手段と、を有する。
【０００９】
そして、上記サーバの制御手段は、上記注文入力装置からの入力信号に基づいて、上記画像情報のプリントに必要な注文情報を設定しかつ、その設定した注文情報と上記画像情報とを互いに対応付けて上記記憶手段に記憶させる。
【００１０】
この構成によると、プリント注文受付装置は、画像情報を読込手段によって読み込んで、その読み込んだ画像情報を、制御手段によってサーバに通信回線を介して送信する。ここで、通信回線は、ＬＡＮ（Local Area Network）及びインターネット等からなるＷＡＮ（Wide Area Network）を含む。
【００１１】
そうして、上記サーバは、上記プリント注文受付装置から送信された画像情報を記憶手段に記憶すると共に、その制御手段によって、顧客が所有する注文入力装置から上記通信回線を介して送信された入力信号を受信して、その入力信号に基づき、上記記憶手段に記憶されている画像情報のプリント注文受付処理を実行する。つまり、画像情報のプリントに必要な注文情報を設定しかつ、その設定した注文情報と上記画像情報とを互いに対応付けて上記記憶手段に記憶させる。
【００１２】
このように、上記のプリントシステムでは、プリント注文受付装置においては画像情報の読み込みのみを行い、注文情報の設定は、通信回線を介して互いに接続されたサーバと注文入力装置とによって構成されるサーバ・クライアント環境において行われる。これによって顧客は、例えばＤＰ店等に設置されるプリント注文受付装置の前で、例えば記憶媒体に記憶されている画像情報を読み込ませることのみを行うため、一人の顧客がプリント注文受付装置を占有する時間が短くなり、受付装置の順番待ちの時間は短くなる。また、顧客は、自身が所有する注文入力装置を操作することによって、注文情報の設定をゆっくりと行うことが可能になる。
【００１３】
ここで、上記プリント装置は、上記サーバの記憶手段に記憶されている注文情報及び画像情報を上記通信回線を介して読み込みかつ、その注文情報に基づいて読み込んだ画像情報のプリントを実行する、とすればよい。
【００１４】
こうすることで、顧客が注文入力装置を操作することによって設定された注文情報に基づくプリントがプリント装置において実行されることになる。画像情報がプリントされた印画紙等のプリントペーパは、例えばＤＰ店の店頭において顧客に手渡しするようにしてもよいし、ＤＰ店から顧客の自宅等に郵送するようにしてもよい。
【００１５】
また、例えば上記サーバの記憶手段に記憶させた画像情報を、プリント注文の受け付け後も一定期間だけ記憶させておくようにすれば、その画像情報のプリントを再度注文する場合に、プリント注文受付装置において画像情報を読み込ませることを省略することができ、顧客の利便性が向上する。
【００１６】
また、上記プリント注文受付装置は、受付証をプリント出力する受付証出力手段をさらに有し、上記プリント注文受付装置の制御手段は、読み込んだ画像情報にＩＤ情報を付与した上で、これを上記サーバに上記通信回線を介して送信すると共に、上記注文入力装置が上記通信回線を介して上記サーバに接続するためのアドレスの情報と、上記画像情報に付与したＩＤ情報とを記載した受付証を、上記受付証出力手段に対し出力させ、上記サーバの制御手段は、上記アドレス情報及びＩＤ情報に従って上記サーバに接続された注文入力装置からの入力信号に基づいて設定した注文情報と上記画像情報とを互いに対応付けて上記記憶手段に記憶させる、としてもよい。
【００１７】
こうすることで、プリント注文受付装置に画像情報を読み込ませた顧客は、受付証に記載されたアドレス情報及びＩＤ情報に従って注文入力装置をサーバに接続させて、注文情報の設定を行うことが可能になる。また、この場合、上記受付証に記載されたアドレス情報及びＩＤ情報を他人（例えば顧客の知人等）に知らせることによって、その他人も、自身が所有する注文入力装置をサーバに接続させて、注文情報の設定を行うことが可能になる。つまり、本システムでは、サーバに接続可能な注文入力装置であれば、どの注文入力装置でも、画像情報のプリント注文を行うことが可能である。
【００１８】
本発明のプリント方法は、プリント注文受付装置が、画像情報を読み込む読込ステップと、上記プリント注文受付装置が、上記読み込んだ画像情報を通信回線を介してサーバに送信する送信ステップと、上記サーバが、上記プリント注文受付装置から送信された画像情報を記憶する記憶ステップと、上記サーバが、顧客が所有する注文入力装置から上記通信回線を介して送信された入力信号を受信して、その入力信号に基づく注文情報を上記画像情報に対応付けて記憶する第２の記憶ステップと、上記プリント装置が、上記サーバに記憶されている注文情報及び画像情報を上記通信回線を介して読み込んで、その注文情報に基づき画像情報のプリントを実行するプリントステップと、を含む。
【００１９】
この構成によると、上述したように、プリント注文受付装置では、画像情報の読み込みのみが行われ、注文情報の設定は、通信回線を介して互いに接続されたサーバと注文入力装置とによって構成されるサーバ・クライアント環境において行われる。これによって顧客は、例えばＤＰ店等に設置されるプリント注文受付装置の前で、例えば記憶媒体に記憶されている画像情報を読み込ませることのみを行うため、一人の顧客がプリント注文受付装置を占有する時間が短くなり、受付装置の順番待ちの時間は短くなる。また、顧客は、自身が所有する注文入力装置を操作することによって、注文情報の設定をゆっくりと行うことが可能になる。
【発明の効果】
【００２０】
以上説明したように、本発明のプリントシステム及びプリント方法によると、ＤＰ店等に設置されるプリント注文受付装置では、画像情報の読み込みのみを行い、注文情報の設定は、通信回線を介して互いに接続されたサーバと注文入力装置とによって構成されるサーバ・クライアント環境において行われるため、一人の顧客がプリント注文受付装置を占有する時間が短くなり、受付装置の順番待ちの時間を短くすることができる。一方、顧客は、自身が所有する注文入力装置を操作することによって、注文情報の設定をゆっくりと行うことが可能になり、顧客の利便性を向上させることができる。
【発明を実施するための最良の形態】
【００２１】
以下、本発明の実施形態を図面に基づいて詳細に説明する。
【００２２】
図１，２は、本発明の実施形態に係るプリントシステムを示しており、このシステムは複数のプリント注文受付装置（以下、受付装置とも略称する）１と、銀塩式の印画紙５に画像情報のプリントを行うデジタル型の写真プリント装置３と、をデータ伝送ネットワーク２によって接続すると共に、受付装置１及び写真プリント装置３と、画像情報及び注文情報を保存するサーバ７と、を通信回線６を介して接続することによって構成されている。このプリントシステムは、例えばＤＰ店における既設の写真プリント装置３に、ネットワークケーブル２ａとハブ２ｂを含むデータ伝送ネットワーク２と、２台の受付装置１とを追加すると共に、サーバ７をさらに追加することにより構築することができる。尚、通信回線６は、インターネット回線や専用回線等によって構成されるＷＡＮ（Wide Area Network）とすればよい。また、受付装置１同士や、受付装置１と写真プリント装置３とサーバ７との間のネットワークの構築には、例えばＴＣＰ／ＩＰ通信プロトコルを用いてもよいし、他の通信プロトコルを採用してもよい。
【００２３】
このシステムでは、以下の手順でプリント注文の受付からプリントの受け渡しまでを行う。つまり、受付装置１は、デジタルカメラ等で撮影された画像情報を記憶するカード型の記憶媒体やディスク型の記憶媒体（以下、これらを総称してメディアＭ１ともいう）からプリント出力の注文対象となる画像情報と、プリント枚数等のプリント出力に関する注文情報とを受け付けると共に、その受付時に受付証を顧客に発行する。受付装置１において受け付けた画像情報及び注文情報は、データ伝送ネットワーク２及び通信回線６を介してサーバ７に送信され、サーバ７に格納される。顧客がその受付証をＤＰ店のカウンターで担当者に提示することにより、その担当者は受付証に記録された受付情報に基づいて写真プリント装置３を操作することによって、サーバ７に格納されている画像情報と注文情報とからなるプリント情報を、通信回線６及びデータ伝送ネットワーク２を介して写真プリント装置３に取り込み、写真プリント装置３がそのプリント情報に基づいてプリントを行う。プリント後の印画紙５ｂは、担当者から顧客に代金と引き替えに手渡される。
【００２４】
また、このシステムでは、受付装置１において画像情報と注文情報との双方を受け付けるのではなく、受付装置１においては画像情報のみを受け付け、図２に示すように、顧客が所有するＰＣ８１や携帯電話８２（以下、これらを総称して注文入力装置８という）と上記サーバ７とを通信回線６を介して互いに接続することによって構成されるサーバ・クライアント環境において、画像情報の注文情報を受け付けることも可能に構成される。
【００２５】
ここで、上記ＰＣ８１や携帯電話８２等の構成は一般的であるため、その詳細な説明は省略するが、上記ＰＣ８１や携帯電話８２等の注文入力装置８は、少なくとも各種の画面を表示する例えば液晶型のディスプレイ（表示部）と、操作者が操作するマウスやキー等からなる入力部と、通信回線６を介したデータの送受信を行う送受信部とを備え、サーバ・クライアント環境においてクライアント端末として機能するものとする。
【００２６】
（受付装置の構成）
次に受付装置１の構成について説明する。図３は、受付装置１の外観を示していて、この受付装置１は、表示面に入力手段としてのタッチパネル１３を形成した液晶型のディスプレイ１２（表示手段）と、メディアＭ１に記憶されている情報を読み込む読込手段としてのメディアドライブ１１と、受付証を発行する、受付証出力手段としての熱転写式の受付証プリンタ１５と、を備え、ディスプレイ１２及び受付証プリンタ１５はそれぞれ筐体１０の上面に、メディアドライブ１１は筐体１０の前面に設けられている。ここで、上記メディアドライブ１１は、フラッシュメモリ等による複数種類のカード型記憶媒体（メモリカード）、及びディスク型記憶媒体（ＣＤ−ＲＯＭ，ＭＯ等）に対応したマルチドライブである。
【００２７】
また、受付装置１の筐体１０には、汎用コンピュータによって構成される、制御手段としてのコントローラ２０と、ハードディスク１４とが内蔵されている。
【００２８】
コントローラ２０の機能は、データ伝送ネットワーク機能を有する汎用コンピュータと実質的に同様であり、前記メディアドライブ１１やタッチパネル１３との間の情報のやりとり、取得した画像情報や注文情報から、写真プリント装置３によるプリント出力に用いられるプリント情報の作成、ハードディスク１４への格納管理、発光素子や圧電ブザーでなるアラーム１７、及び受付証プリンタ１５の制御等を行う。
【００２９】
このコントローラ２０には汎用オペレーティングシステムを採用してもよく、それによって受付装置１に必要とされる各種機能を、このオペレーションシステムが有する各種プログラムやこのオペレーションシステム上で動作するように作成された各種プログラムによって付属ハードウエアと協働しながら容易に作り出すことができる。
【００３０】
コントローラ２０には、図４に示すように、Ｉ／Ｏインタフェースを介してメディアドライブ１１やハードディスク１４等の外部機器が接続されており、これにより、コントローラ２０は、上記メディアドライブ１１との間の情報のアクセスと、タッチパネル１３との間の情報のアクセスと、ハードディスク１４との間の情報のアクセスと、が可能に構成されかつ、ディスプレイ１２に対する画面の出力と、上記受付証プリンタ１５に対する情報の出力と、上記アラーム１７に対する信号の出力と、が可能に構成されている。
【００３１】
また、コントローラ２０は、ネットワークインタフェース２ｃを介してネットワークケーブル２ａとハブ２ｂとを含むデータ伝送ネットワーク２によって、後述する写真プリント装置３のコントローラ４０とＬＡＮ（Local Area Network）接続されると共に、通信回線６を介してサーバ７のコントローラ７０に接続され、所定のプロトコルで互いに情報のアクセスを行えるよう構成される。
【００３２】
そして、コントローラ２０は、作業領域が形成されるＲＡＭ型の半導体メモリや、プログラムやパラメータが保存されるＲＯＭ型の半導体メモリの総称としてのメモリ２１と、画像情報処理部２２と、表示制御部２３と、入力処理部２４と、注文情報処理部２５と、注文情報保存部２６と、受付証発行処理部２７と、遠隔注文処理部２８と、を含んでおり、これらの各部２１〜２８がデータバスを介して互いの情報をアクセス自在に構成されている。
【００３３】
上記画像情報処理部２２は、メディアドライブ１１によってメディアＭ１から読み出した画像情報（ＪＰＥＧやＴＩＦＦ等であり、撮影画像データ等を含む）をサムネイル形式（以下、サムネイル画像と称する）でディスプレイ１２に表示するための処理を実行する機能を有する。つまり、この画像情報処理部２２は、メディアＭ１にサムネイル画像が含まれる場合には、そのサムネイル画像が表示制御部２３によってディスプレイ１２に表示されるようにし、サムネイル画像が存在しない場合には、オリジナルの画像情報からサムネイル画像を生成して、その作成したサムネイル画像が表示制御部２３によってディスプレイ１２に表示されるようにする。
【００３４】
上記表示制御部２３は、ディスプレイ１２に各種画面を表示する機能を有しており、プリント注文の受付処理に係る機能としては、ハードディスク１４に記憶されている各種の画面データを読み出して、これをディスプレイ１２に表示させる機能を有する。一方、上記入力処理部２４は、タッチパネル１３を顧客が操作することに応じて出力される、該タッチパネル１３からの入力信号を処理する機能を有しており、具体的には、顧客が接触操作したタッチパネル１３上の座標情報を検出し、その検出した座標情報とディスプレイ１２に表示している画面内容とを照らし合わせて、顧客の入力内容を認識し、その認識結果を他の各部２１〜２８に提供する。
【００３５】
上記注文情報処理部２５は、入力処理部２４で処理された信号に応じて、換言すれば顧客によって入力されたプリントサイズやプリント枚数等から注文情報を作成する機能を有する。
【００３６】
上記注文情報保存部２６は、上記注文情報処理部２５で作成された注文情報と、メディアドライブ１１によってメディアＭ１から読み出した画像情報とを、ＩＤ情報等を付して、ネットワークドライブとしてネットワーク上に開放されているサーバ７のハードディスク７８に階層的に格納する機能を有する。それによって、注文情報及び画像情報は、ハードディスク７８において注文毎に形成される、注文番号を付したフォルダによって管理される。
【００３７】
上記受付証発行処理部２７は、プリントすべき画像情報とそのプリント枚数とが最終的に決定した場合に、注文の明細、端末ＩＤ及び注文ＩＤ等を、受付証プリンタ１５によってプリントして第１の受付証ｒｅ１として出力する機能を有する。
【００３８】
図２１は、受付証プリンタ１５を通じて顧客に発行される第１の受付証ｒｅ１の一例を示す。この例では、「受付証本体」と「お客様控え」とが連なった形態となっており、即日に写真のプリントを手渡せない場合には、受付証本体とお客様控えとを切り離し、受付証本体をＤＰ店の控えとして残し、お客様控えを顧客に手渡す処理も可能にしている。受付証本体及びお客様控えは互いに同じ内容であり、お客様名、電話番号、受付ＩＤ、端末ＩＤ、受付日、注文番号等の他に注文の詳細を示す内容がプリントされている。出力された第１の受付証ｒｅ１は、上述のようにサービスカウンターで提示するために使用される。そして、ＤＰ店の担当者は、第１の受付証ｒｅ１に記載されている端末ＩＤと注文番号とから、サーバ７のハードディスク７８において画像情報と注文情報とが保存されているディレクトリを特定しすると共に、注文情報と画像情報とを読み出してプリント処理を行うことになる。
【００３９】
以上の各部は主に受付装置１において注文受付を行う場合に機能するものであるが、上記遠隔注文処理部２８は、ＰＣ又は携帯電話による遠隔注文を行う場合に機能するものである。
【００４０】
この遠隔注文処理部２８は、読み込んだ画像情報を、ＩＤ情報等を付してサーバ７のハードディスク７８に格納する機能を有する。それによって、画像情報は、ハードディスク７８に形成される、ＩＤ番号を付したフォルダによって管理される。
【００４１】
また、遠隔注文処理部２８は、ＩＤ情報とサーバにアクセスする際に必要となるアドレス情報とが記載された第２の受付証ｒｅ２を、受付証プリンタ１５によってプリントして出力する機能を有する。
【００４２】
図２２は、受付証プリンタ１５を通じて顧客に発行される第２の受付証ｒｅ２の一例を示す。この例では、受付証には、受付ＩＤ、端末ＩＤ、受付日等の他にアドレス（ＵＲＬ：Uniform Resource Locator）及びアドレスを示す二次元バーコード９９がプリントされている。出力された第２の受付証ｒｅ２は、顧客が注文入力装置８でサーバ７にアクセスするために使用される。つまり、顧客はＰＣ８１又は携帯電話８２のブラウザソフトによって受付証ｒｅ２に記載されたＵＲＬにアクセスするか、携帯電話８２に二次元バーコード９９を読み込んでそこに示されているアドレスにアクセスするか、する。尚、第２の受付証ｒｅ２に記載されるアドレス又は二次元バーコード９９には、ハードディスク７８に作成されたフォルダのＩＤ番号の情報を含めておけばよい。
【００４３】
以上の構成により上記コントローラ２０は、プリント注文の受付処理として、次の２つの処理を行う。つまり、プリント注文受付装置１において注文を受け付ける場合は、上記コントローラ２０は、メディアＭ１の画像情報をメディアドライブ１１を通じて取り込んで、これをサムネイル画像としてディスプレイ１２に表示すると共に、後述する各プリント注文画面においてタッチパネル１３から出力された選択・設定信号に基づいて注文情報を作成し、作成した注文情報を画像情報と共に、サーバ７のハードディスク７８に保存すると共に、受付証プリンタ１５から第１の受付証ｒｅ１を発行する。
【００４４】
これに対し、サーバ７と注文入力装置８とによって構成されるサーバ・クライアント環境において注文を受け付ける場合は、上記コントローラ２０は、メディアＭ１の画像情報をメディアドライブ１１を通じて取り込んで、その画像情報をＩＤ情報と共に、サーバ７のハードディスク７８に保存すると共に、受付証プリンタ１５から第２の受付証ｒｅ２を発行する。
【００４５】
（サーバの構成）
サーバ７は、いわゆるウェブサーバとしての機能を有しており、少なくとも、制御手段としてのコントローラ７０と、ハードディスク７８とを備えている。
【００４６】
コントローラ７０には、図５に示すように、Ｉ／Ｏインタフェースを介してハードディスク７８が接続されており、これにより、コントローラ７０は、上記ハードディスク７８との間の情報のアクセス、が可能に構成されると共に、上記コントローラ７０は、ネットワークインタフェース２ｃと通信回線６とデータ伝送ネットワーク２とを介して、受付装置１のコントローラ２０及び写真プリント装置３のコントローラ４０に接続され、所定のプロトコルで互いに情報のアクセスを行えるよう構成される。
【００４７】
そして、コントローラ７０は、作業領域が形成されるＲＡＭ型の半導体メモリや、プログラムやパラメータが保存されるＲＯＭ型の半導体メモリの総称としてのメモリ７１と、画像情報処理部７２と、表示制御部７３と、入力処理部７４と、注文情報処理部７５と、注文情報保存部７６と、受付証発行処理部７７と、を含んでおり、これらの各部７１〜７７がデータバスを介して互いの情報をアクセス自在に構成されている。
【００４８】
ここで、サーバ７における画像情報処理部７２、表示制御部７３、入力処理部７４、注文情報処理部７５、注文情報保存部７６、受付証発行処理部７７はそれぞれ、受付装置１における画像情報処理部２２、表示制御部２３、入力処理部２４、注文情報処理部２５、注文情報保存部２６、受付証発行処理部２７に対応する機能を有している。
【００４９】
つまり、上記画像情報処理部７２は、クライアント端末としてサーバ７に接続された注文入力装置８の表示部に、ハードディスク７８に予め格納されている画像情報をサムネイル形式で表示するための処理を実行する機能を有する。
【００５０】
上記表示制御部７３は、注文入力装置８の表示部に各種画面を表示させる機能を有しており、プリント注文の受付処理に係る機能としては、ハードディスク７８に記憶されている各種の画面データを読み出して、これを注文入力装置８の表示部にウエブページとして表示させる機能を有する。
【００５１】
上記入力処理部７４は、注文入力装置８の入力部（マウス、キー等）を顧客が操作することに応じて、通信回線６を介して出力される入力信号を処理する機能を有している。
【００５２】
上記注文情報処理部７５は、入力処理部７４で処理された信号に応じて、換言すれば顧客によって入力されたプリントサイズやプリント枚数等から注文情報を作成する機能を有する。
【００５３】
上記注文情報保存部７６は、上記注文情報処理部７５で作成された注文情報と、画像情報とを、ＩＤ情報等を付してサーバ７のハードディスク７８に格納する機能を有する。それによって、注文情報及び画像情報は、ハードディスク７８に注文毎に形成される、注文番号を付したフォルダによって管理される。
【００５４】
上記受付証発行処理部７７は、プリントすべき画像情報とそのプリント枚数とが最終的に決定した場合に、注文の明細及び注文ＩＤ等を含む受付証（上記受付装置１において発行される第１の受付証ｒｅ１に対応する）を、電子メールで注文入力装置８に送信する機能を有する。その電子メールは、ＤＰ店のサービスカウンターで提示するために使用される。
【００５５】
（写真プリント装置の構成）
次に、写真プリント装置３の構成について説明する。この写真プリント装置３は、図１，２に示すように、テーブル状に形成されたオペレート部３ａと現像処理部３ｂとを一体化した装置本体３０と、この装置本体３０から分離して配置されたスキャナユニット３１とを備えている。
【００５６】
装置本体３０のオペレート部３ａの下部には、印画紙マガジン５ａからの印画紙５をプリントサイズに切断して、印画紙搬送機構３２ｂによってデジタル型の露光ヘッド３２ａに供給する露光系が内装されている。
【００５７】
露光ヘッド３２ａはここでは、印画紙５の搬送方向と直交する方向にレーザービームを送出して走査を行う形式のものを使用しているが、この露光ヘッド３２ａとしては蛍光ビーム方式、液晶シャッター方式、ＤＭＤ方式又はＦＯＣＲＴ等の使用が可能である。
【００５８】
また、現像処理部３ｂには、露光ヘッド３２ａで露光された印画紙５の現像処理を行う現像処理槽３３が内装されており、この現像処理槽３３で現像処理が行われた印画紙５は、乾燥の後、現像処理部３ｂの上面の横送りコンベア３４ａに送出される。そして、この横送りコンベア３４ａからの印画紙５は仕分けコンベア３４ｂに送出される。
【００５９】
オペレート部３ａは、ＣＤ−ＲＯＭ及びＤＶＤからの情報の読み出し並びにＣＤ−Ｒに対する情報の書き込みを行うコンボドライブ３５と、メモリカードやＭＯ等各種のメディアに対応したマルチドライブ３６と、画像情報や各種情報等の表示を行うディスプレイ３７と、入力機器としてのキーボード３８及びマウス３９と、を備えている。
【００６０】
そして、このオペレート部３ａの下部にはマイクロプロセッサを有したコントローラ４０が設けられており、このコントローラ４０には、上述したように、ネットワークインタフェースを介して両受付装置１，１及びサーバ７がネットワーク接続されている。
【００６１】
上記スキャナユニット３１は、底部にキャスタを備えた筐体３１ａの上面に交換自在に設けられたフィルムキャリア３１ｂと、筐体３１ａ内部に設けられかつ、光学レンズやＣＣＤ等の光電変換素子を有する光電変換部（図示せず）と、筐体３１ａ内部に備えた光源から光ファイバーを介して送られる光線をフィルムキャリア３１ｂの上面側に導くアーム３１ｃと、を備えている。そして、写真フィルムＭ２のスキャニングを行う場合には、ネガティブフィルム又はポジティブフィルムをフィルムキャリア３１ｂにセットし、このフィルムキャリア３１ｂによって写真フィルムＭ２を設定速度で移動させながら、アーム３１ｃの先端から下方に向けて照射する光線により写真フィルムＭ２の各コマの画像情報を光電変換部でデジタル信号化し、ケーブル３１ｄを介してコントローラ４０に転送する。
【００６２】
上記コントローラ４０は汎用コンピュータからなり、例えば汎用のオペレーションシステムを採用することによって、そのオペレーションシステムが有する各種プログラムやこのオペレーションシステム上で動作するように作成された各種プログラムによって、付属ハードウェアと協働しながら写真プリント装置３に必要とされる各種機能が作り出される。
【００６３】
すなわち、コントローラ４０は、ディスプレイ３７に各種の画像を表示させると共に、その表示に対してキーボード３８又はマウス３９から出力された信号を受け、それによって、担当者の操作内容に応じた処理を行う。具体的にコントローラ４０は、プリント注文に対する処理として、キーボード３８又はマウス３９からの入力信号に応じて、サーバ７から注文情報及び画像情報を取得し、又はスキャナユニット３１から画像情報を取得して、それらの情報をコントローラ４０のメモリ（図示省略）や、コントローラ４０に接続されたハードディスク（図示省略）に記憶させると共に、担当者の操作に応じて画像情報の補正を行ってその補正情報を上記メモリやハードディスクに記憶させる。そして、コントローラ４０は、画像情報（及び補正情報）に基づいて露光ヘッド３２ａや印画紙搬送機構３２ｂを制御する。それによって、印画紙５にプリントが行われる。
【００６４】
（プリント注文の受付処理）
次に、プリントシステムにおけるプリント注文の受付処理について説明する。
【００６５】
この注文受付処理は、受付装置１のディスプレイ１２とタッチパネル１３とを用いた、又は注文入力装置８の表示部とその入力部とを用いた、装置と顧客との間の対話形式で行われる。つまり、受付装置１における注文受付処理の場合は、受付装置１の表示制御部２３は、プリント注文に関する画面であるプリント注文画面を、受付装置１のディスプレイ１２に表示させ、そのプリント注文画面において顧客がタッチパネル１３を接触操作することに応じてタッチパネル１３から出力された入力信号がコントローラ２０の入力処理部２４に入力される。このことによって、受付装置１が顧客の入力操作を受け付けることになる。
【００６６】
一方、サーバ７と注文入力装置８とよって構成されるサーバ・クライアント環境における注文受付処理の場合は、サーバ７の表示制御部７３は、プリント注文画面を通信回線６を介して注文入力装置８に送信して、注文入力装置８の表示部にそれを表示させ、そのプリント注文画面において顧客が注文入力装置８の入力部を操作することに応じて注文入力装置８から出力された入力信号が通信回線６を介してサーバ７の入力処理部７４に入力される。このことによって、サーバ７が顧客の入力操作を受け付けることになる。
【００６７】
そして、プリント注文の受付処理では、後述するようにプリント注文画面として「サービス選択画面」「メディア選択画面」「メディアセット案内画面」「注文方法選択画面」「プリントサイズ選択画面」「プリント枚数設定画面」「名前入力画面」「電話番号入力画面」「注文内容確認画面」「メディア取り出し案内画面」「受付証発行案内画面」が順に、受付装置１のディスプレイ１２又は注文入力装置８の表示部に表示され、顧客が各画面において入力操作を行うことによって、その操作内容に応じた入力信号が入力処理部２４又は７４に入力され、そのことによりプリント注文に必要な複数の設定項目が設定されてプリント注文の受付が完了することになる。
【００６８】
図６は、受付装置１のコントローラ２０が実行する、プリント注文の受付処理のメインフローを示している。このフローのステップＳ１では、受付装置１は待機状態にあり、この待機状態では、ディスプレイ１２に受付装置１の機能やＤＰ店のロゴマーク等を含む待機画面（図９参照）が表示される。この待機画面には「画面に触れてください」とのメッセージが表示されており、プリント注文を行う顧客にディスプレイ１２に触れることを促す。
【００６９】
そして、顧客がディスプレイ１２のタッチパネル１３に指を接触させることにより、フローはステップＳ２へ進み、図１０に示す「サービス選択画面」が表示される。この画面には「サービスを選択してください」とのメッセージと共に、プリントの受付を行うプリント受付ボタン（ボタンアイコン）５１ａと、メディア保存受付を行うメディア保存受付ボタン５１ｂと、テンプレートを利用したプリントの受付を行うデザインプリント受付ボタン５１ｃと、携帯電話機に保存されている画像情報のプリントの受付を行う携帯プリント受付ボタン５１ｄと、が含まれており、顧客に対しサービスの選択を求める。
【００７０】
そうして「サービス選択画面」において、いずれかの受付ボタン５１ａ〜５１ｄが選択されることによって、メインフローはステップＳ３へと進む。尚、「サービス選択画面」において、メディア保存受付ボタン５１ｂが選択された場合には、メディア保存の処理としてメディアＭ１に保存された画像情報を、写真プリント装置３に転送して、写真プリント装置３においてＣＤ−ＲやＭＯに保存する処理が行われるが、その処理の受付手順（注文内容設定処理）は、受付装置１においてプリント注文を受け付ける場合の手順と基本的に同じ形態であるため、ここではその説明を省略する。また、デザインプリント受付ボタン５１ｃ又は携帯プリント受付ボタン５１ｄが選択された場合の受付手順も、プリント注文を受け付ける場合の手順と基本的に同じ形態であるため、ここではその説明を省略する。従って、ここではプリント受付ボタン５１ａが選択された場合について、以下のステップの説明をする。
【００７１】
ステップＳ３においては、図１１に示す「メディア選択画面」を表示する。この「メディア選択画面」には「メディアを選択してください」とのメッセージと共に、メディアを選択するための複数のメディアボタン５３、５３、…を表示して、顧客にメディアの選択を求める。
【００７２】
尚、「メディア選択画面」における下側の部分には、処理を中止するための中止ボタン５２ｃ及び前の処理に戻るための戻るボタン５２ｄとが表示される。これらの中止ボタン５２ｃ及び戻るボタン５２ｄ（後述する画面においては、ＯＫボタン５４及び進むボタン５６ｅ等を含む）といった主として処理の進行に関係するボタンは、後述する各画面においても同じ位置に表示される。
【００７３】
そして、「メディア選択画面」において、顧客が使用するメディアに対応するメディアボタン５３を接触操作することによって、フローはステップＳ４へ進む。
【００７４】
ステップＳ４においては、図１２に示す「メディアセット案内画面」を表示する。この画面には「メディアをセットして、ＯＫボタンを押してください」とのメッセージと共に、ステップＳ３において顧客が選択したメディアをセットする際の具体的な画像を表示する。
【００７５】
「メディアセット案内画面」において、顧客がメディアドライブ１１にメディアＭ１をセットしＯＫボタン５４を操作することで、フローはステップＳ５へ進み、ステップＳ５では、画像情報処理部２２がセットされたメディアＭ１から画像情報を読み出す。その後、ステップＳ６へ進む。
【００７６】
ステップＳ６においては、図１３に示す「注文方法選択画面」を表示する。この画面には「注文方法を選択してください」とのメッセージと共に、受付装置１において注文操作を行う、受付装置で受付ボタン５８ａと、ＰＣ８１又は携帯電話８２で注文操作を行う、ＰＣ又は携帯電話で受付ボタン５８ｂと、が含まれており、顧客に対し注文方法の選択を求める。
【００７７】
ステップＳ７においては、「注文方法選択画面」において、いずれのボタンが選択されたかを判断し、受付装置で受付ボタン５８ａが選択された場合はステップＳ１２に移行し、ＰＣ又は携帯電話で受付ボタン５８ｂが選択された場合はステップＳ８に移行する。
【００７８】
ステップＳ８においては、サーバ７のハードディスク７８にＩＤ番号を付した名前のフォルダが作成され、そのフォルダに上記画像情報と受付ＩＤや端末ＩＤ等のＩＤ情報が記憶される。このステップＳ８において画像情報にＩＤ情報を付して保存する処理は受付装置１の遠隔注文処理部２８が行う。
【００７９】
ステップＳ９では、図１４に示す「メディア取り出し案内画面」が表示される。この画面には「メディアを取り出してください」とのメッセージが表示される。
【００８０】
顧客が当該画面の表示に従いメディアＭ１を取り出し、ＯＫボタン５４を操作することでフローはステップＳ１０へ進み、次の処理が実行される一方、メディアＭ１を取り出さずにＯＫボタン５４を操作した場合には、アラーム１７を作動させて電子音で誤操作であることを認識させる。
【００８１】
ステップＳ１０においては、次の処理として、図１５に示す「受付証発行案内画面」が表示される。この画面には「受付証を発行中です。しばらくお待ちください。」「ＰＣ又は携帯電話により受付証に記載のアドレスにアクセスしてください。」とのメッセージが表示され、ステップＳ１１において、遠隔注文処理部２８によって受付証プリンタ１５を介して第２の受付証ｒｅ２（図２２参照）がプリントされて送り出される。このように第２の受付証ｒｅ２が発行されると、受付処理の全てが終了して待機画面に復帰する。従って、ＰＣ８１又は携帯電話８２による受付処理を行う場合は、受付装置１においてメディアＭ１から画像情報を読み込んで、これをサーバ７のハードディスク７８に保存することのみが行われる。
【００８２】
一方、ステップＳ１２では、注文内容設定処理が行われる。この注文内容設定処理では、顧客の入力・設定内容に基づいて受付装置１の注文情報処理部２５が注文情報を作成する。
【００８３】
この注文内容設定処理は、図７に示すサブフローに従って実行され、先ず、ステップＳＡ１においては、図１６に示す「プリントサイズ選択画面」を表示する。この画面には「プリントサイズを選択してください」とのメッセージと共に、複数のプリントサイズに対応したサイズ指定ボタン５５、５５、…を表示する。このサイズ指定ボタン５５、５５、…にはプリントサイズを示す「Ｌ版」や「２Ｌ版」等の文字の他に、プリントサイズを示す数値と、プリントの単価と、プリントの基本料金とが表示される。
【００８４】
そして、「プリントサイズ選択画面」において、顧客が何れか１つのサイズ指定ボタン５５を操作することで、受付装置１の注文情報処理部２５は、入力されたプリントサイズを注文情報としてメモリ２１に記憶させる。その後、フローは、ステップＳＡ２へ進む。
【００８５】
ステップＳＡ２においては、図１７に示す「プリント枚数設定画面」を表示する。ステップＳＡ２では、プリントする画像の選択、プリント枚数の設定、及び必要に応じて画像の補正が行われる。
【００８６】
この画面には「プリント枚数を設定してください」とのメッセージと、メディアＭ１から読み出された画像情報の複数のサムネイル画像Ｓとを表示する。「プリント枚数設定画面」は、ここでは８つのサムネイル画像Ｓを１ページとして表示するよう設定されており、１ページ中のサムネイル画像Ｓはファイル名順に表示される。また、各サムネイル画像Ｓのフレーム５６の上段には、画像情報を特定するファイルの名称、ファイルの種類を示す拡張子及びデータサイズがそれぞれ表示され、フレーム５６の下段には、プリント枚数を示す数値を表示するプリント枚数表示エリア５７が形成されると共に、このプリント枚数表示エリア５７を挟んだ両側それぞれに、プリント枚数を１枚ずつ増加させるプラスボタン５７ａと、プリント枚数を１枚ずつ減少させるマイナスボタン５７ｂとが表示される。さらにまた、プリント枚数表示エリア５７の下側には、画像の補正を行う場合に操作する補正ボタン５７ｃが表示される。
【００８７】
この「プリント枚数設定画面」では初期状態において、全てのサムネイル画像Ｓのフレーム５６の下段のプリント枚数表示エリア５７の数値が「０」に設定され、プラスボタン５７ａを操作することによって、対応する画像情報のプリント枚数が１増加し、マイナスボタン５７ｂを操作することによって、対応する画像情報のプリント枚数が１減少し、その設定枚数がプリント枚数表示エリア５７に表示される。尚、画像情報のプリント枚数を１以上に設定することは、同時にプリント出力する画像情報を選択することを意味する。
【００８８】
また、「プリント枚数設定画面」の画面下側には、中止ボタン５２ｃと、サムネイル画像Ｓの表示順序を逆転させる表示順逆転ボタン５６ａと、全ての画像情報（ページ内に含まれていない画像を含む）のプリント枚数を１枚ずつ増加させる全画像プラスボタン５６ｂと、全ての画像情報（ページ内に含まれていない画像を含む）のプリント枚数を１枚ずつ減少させる全画像マイナスボタン５６ｃと、注文を完了するＯＫボタン５４と、前のページを表示させるための戻るボタン５６ｄと、次のページを表示させるための進むボタン５６ｅと、がそれぞれ表示される。そして、戻るボタン５６ｄと進むボタン５６ｅとの間には、ページを示す数字（ページ総数を示す数字に対して現在表示中のページ番号を示す数字）が表示される。さらに、画面下側の中央位置には情報エリアＤＥが表示される。この情報エリアＤＥには、選択されたプリントサイズの情報、メディアＭ１から取り込んだ画像情報の合計枚数、プリント出力を選択した画像情報の数（選択画像数）、プリント１枚の単価及び合計金額が表示される。
【００８９】
尚、「プリント枚数設定画面」において、上記各サムネイル画像Ｓのフレーム５６における補正ボタン５７ｃが操作されたときには、図示は省略するが、ディスプレイ１２の表示が対応する画像情報を補正するための「画像補正画面」に切り替わり、その画像補正画面において画像情報に対して、トリミング、回転、移動、拡大又は縮小、及び画像の色合いの調整する補正を行うことができる。
【００９０】
そうして顧客が、プリント出力する画像情報を選択すると共にプリント枚数を設定し、また必要に応じて画像情報を補正した後、「プリント枚数設定画面」におけるＯＫボタン５４を接触操作することで、プリント枚数の設定が終了する。
【００９１】
ＯＫボタン５４が操作されると、受付装置１の注文情報処理部２５は、「プリント枚数設定画面」において顧客が設定した内容（プリント出力する画像情報、プリント枚数及び画像補正の設定内容）に基づいて、注文情報を作成する。
【００９２】
ステップＳＡ３では図１８に示す「名前入力画面」が表示される。この画面には、「名前を入力してください」とのメッセージが表示されると共に、名前表示部とキーボードとを有した入力ボード６０が表示され、キーボードに接触して名前を入力するとＯＫボタン５４が表示される。
【００９３】
そして、顧客がＯＫボタン５４を操作することにより、入力された名前が受付装置１のメモリ２１に記憶される。
【００９４】
続くステップＳＡ４においては、図１９に示す「電話番号入力画面」が表示される。この画面には「電話番号を入力してください」とのメッセージが表示されると共に、電話番号表示部とキーボードとを有した入力ボード６１が表示され、キーボードに接触して電話番号を入力するとＯＫボタン５４が表示される。
【００９５】
そして、顧客がこのＯＫボタン５４を操作することにより、入力された電話番号が受付装置１のメモリ２１に記憶される。その後、ステップＳＡ５に進む。
【００９６】
尚、顧客の名前や電話番号を入力する処理は、プリントを行う上で必須の事項でないので入力がない場合でも次の処理に移行できるよう処理形態を設定することもできる。顧客の名前の入力がない場合には、受付装置１が生成した番号や符号を自動的に入力するよう処理形態を設定するとよい。
【００９７】
ステップＳＡ５においては、図２０に示す「注文内容確認画面」が表示される。この画面には「注文の内容を確認してください」とのメッセージが表示されると共に、メモリ２１に記憶されている、顧客が入力したプリントの注文情報の詳細と、そのプリント料金とを一覧化した確認シート６２が表示される。
【００９８】
そして、確認シート６２の表示内容に誤りがなければ、顧客がＯＫボタン５４を操作することで、ステップＳＡ６において、上記サーバ７のハードディスク７８に注文番号を付した名前のフォルダが作成され、そのフォルダに上記注文情報と画像情報と受付ＩＤや端末ＩＤ等のＩＤ情報が記憶される。このように注文情報及び画像情報にＩＤ情報を付して保存する処理は、受付装置１の注文情報保存部２６が行う。その後、注文内容設定処理のサブフローは終了し、メインフローへと戻る。
【００９９】
図６のメインフローにおいて、ステップＳ１３においては、図１４に示す「メディア取り出し案内画面」が表示される。顧客が当該画面の表示に従いメディアＭ１を取り出し、ＯＫボタン５４を操作することでフローはステップＳ１４へ進む。
【０１００】
ステップＳ１４においては、「受付証発行案内画面」が表示される。この画面は図１５に示す「受付証発行案内画面」と略同じであるが、このステップＳ１４で表示される画面には、図示は省略するが「受付証を発行中です。しばらくお待ちください。」「受付証はカウンターに持参してください。」とのメッセージが表示される。
【０１０１】
そうして、ステップＳ１５において、コントローラ２０の受付証発行処理部２７によって受付証プリンタ１５を介して第１の受付証ｒｅ１（図２１参照）がプリントされて送り出される。このように第１の受付証ｒｅ１が発行されると、受付処理の全てが終了して待機画面に復帰する。
【０１０２】
（ＰＣ又は携帯電話を利用した受付処理）
次に、ＰＣ８１又は携帯電話８２を利用した受付処理（遠隔受付処理）について説明する。この処理は、サーバ７が図８に示すフローに従って実行する処理であり、上述したように、ＰＣ８１又は携帯電話８２において、第２の受付証ｒｅ２に記載されたアドレスにアクセスしてＰＣ８１又は携帯電話８２がサーバ７に接続されることによって、図８に示すフローがスタートする。
【０１０３】
先ずステップＳＢ１では、注文内容設定処理が実行される。この処理は、上記受付装置１において実行される処理（図７参照）と同じであり、ここでは、サーバ７と注文入力装置８との間で構成されるサーバ・クライアント環境において実行される。
【０１０４】
つまり、ステップＳＡ１では、「プリントサイズ選択画面」（図１６参照）が、注文入力装置８の表示部に表示される。そして、「プリントサイズ選択画面」において、注文入力装置８の入力部を操作して、顧客が何れか１つのサイズ指定ボタン５５を選択することで、サーバ７の注文情報処理部７５は、入力されたプリントサイズを注文情報としてメモリ７１に記憶させる。
【０１０５】
ステップＳＡ２においては、「プリント枚数設定画面」（図１７参照）が、注文入力装置８の表示部に表示される。そして、注文入力装置８の入力部を操作して、顧客が、プリント出力する画像情報を選択すると共にプリント枚数を設定し、また必要に応じて画像情報を補正した後、「プリント枚数設定画面」におけるＯＫボタン５４を選択操作することで、プリント枚数の設定が終了する。
【０１０６】
ＯＫボタン５４が操作されると、サーバ７の注文情報処理部７５は、「プリント枚数設定画面」において顧客が設定した内容（プリント出力する画像情報、プリント枚数及び画像補正の設定内容）に基づいて、注文情報を作成する。
【０１０７】
ステップＳＡ３では「名前入力画面」（図１８参照）が、注文入力装置８の表示部に表示される。注文入力装置８の入力部を操作して、顧客が名前を入力すると共に、ＯＫボタン５４を選択操作することにより、入力された名前がサーバ７のメモリ７１に記憶される。
【０１０８】
続くステップＳＡ４においては、「電話番号入力画面」（図１９参照）が、注文入力装置８の表示部に表示される。注文入力装置８の入力部を操作して、顧客が電話番号を入力すると共に、ＯＫボタン５４を選択操作することにより、入力された電話番号がサーバ７のメモリ７１に記憶される。その後、ステップＳＡ５に進む。
【０１０９】
ステップＳＡ５においては、「注文内容確認画面」（図２０参照）が、注文入力装置８の表示部に表示される。この画面には、サーバ７のメモリ７１に記憶されている、顧客が入力したプリントの注文情報の詳細と、そのプリント料金とを一覧化した確認シート６２が表示される。
【０１１０】
そして、確認シート６２の表示内容に誤りがなければ、注文入力装置８の入力部を操作することによって、ＯＫボタン５４を選択することで、ステップＳＡ６において、サーバ７の注文情報保存部７６が、ハードディスク７８に注文番号を付した名前のフォルダを作成して、そのフォルダに上記注文情報と画像情報と受付ＩＤ等のＩＤ情報を記憶する。
【０１１１】
図８のメインフローにおいて、ステップＳＢ２では、サーバ７から注文入力装置８に、受付証となる電子メールが送信され、遠隔受付処理が終了する。
【０１１２】
そうして顧客が、その電子メールの受付証をＤＰ店のカウンターで担当者に提示することにより、その担当者は受付証に記録された受付情報に基づいて写真プリント装置３を操作することによって、サーバ７に格納されている画像情報と注文情報とからなるプリント情報を、通信回線６及びデータ伝送ネットワーク２を介して写真プリント装置３に取り込み、写真プリント装置３がそのプリント情報に基づいてプリントを行う。プリント後の印画紙５ｂは、担当者から顧客に代金と引き替えに手渡されることになる。
【０１１３】
尚、注文入力装置８がＰＣ８１であるときには、受付装置１のディスプレイ１２に表示されるプリント注文画面と同じ構成の画面を、そのディスプレイに表示すればよいが、注文入力装置８が携帯電話８２であるときには、そのディスプレイの表示面積が受付装置１のディスプレイ１２やＰＣ８１のディスプレイに比べて小さいことを考慮して、画面の構成を適宜変更して、携帯電話８２のディスプレイに表示させてもよい。
【０１１４】
従って、本実施形態では、受付装置１においてはメディアＭ１に保存されている画像情報の読み込みだけを行い、プリント注文の受付操作は、受付装置１以外の装置、つまり顧客が所有するＰＣ８１や携帯電話８２において行うことが可能であるため、顧客が受付装置１において操作する時間が短縮されて、顧客の回転率の向上が期待できる。また、顧客は、例えば自宅等において、プリント注文をゆっくりと行うことができる。
【０１１５】
また、第２の受付証ｒｅ２に記載されているアドレス情報を、顧客が例えば知人等に知らせることによって、その知人等は、自身が所有するＰＣ８１又は携帯電話８２によってサーバ７にアクセスすることができ、それによってサーバ７に格納されている画像情報のプリント注文を行うことができる。つまり、本システムは、受付装置１においてはメディアＭ１に保存されている画像情報の読み込みをさせる人と、プリント注文を行う人とが異なることを許容するシステムであり、それによって顧客の利便性を向上させることができる。
【０１１６】
また、プリント注文後も（このプリント注文は、受付装置１における注文であっても、注文入力装置８を利用した注文であってもよい）、サーバ７のハードディスク７８に画像情報を一定期間だけ保存するようにすれば、例えばプリントの再注文を行う場合に、画像情報を改めて受付装置１において読み込ませなくてもよく、顧客の利便性が向上する。
【０１１７】
尚、本発明は、上記の構成に限るものではなく様々な実施の形態を含む。例えば図８に示す遠隔受付処理において、ＰＣ８１又は携帯電話８２がサーバ７に接続する際に、例えばパスワード等による認証処理を実行してもよい。
【０１１８】
また、上記実施形態では、サーバ７から注文入力装置８に送信された電子メールの受付証をＤＰ店のカウンターで担当者に提示することによって、担当者が写真プリント装置３を操作することによって、プリントを行うようにしているが、例えばサーバ７から注文入力装置８に、受付証となる電子メールを送信すると共に、サーバ７から写真プリント装置３に同様の電子メールを送信し、ＤＰ店の担当者はその電子メールに従って、予めプリントを行うようにしてもよい。またこの場合、プリント後の印画紙５ｂを、ＤＰ店の店頭において代金と引き替えに手渡ししてもよいし、プリント後の印画紙５ｂを顧客の自宅等に郵送してもよい。
【０１１９】
また、上記実施形態のプリントシステムは、受付装置１及びプリント装置３とは別に、サーバ７をネットワーク２で接続して構成しているが、例えば受付装置とサーバを一体にしてもよいし、プリント装置とサーバとを一体にしてもよい。
【０１２０】
また、上記実施形態のプリントシステムは、受付装置１と写真プリント装置３とをネットワーク２で接続して構成しているが、受付装置とプリント装置とは一体となっていてもよい。
【０１２１】
さらに、上記プリント装置は、上記実施形態の如く銀塩式のプリント装置に限らず、インクジェット式や熱転写式のプリント装置であってもよい。
【産業上の利用可能性】
【０１２２】
以上説明したように、本発明は、ＤＰ店等に設置されるプリント注文受付装置では、画像情報の読み込みのみを行い、注文情報の設定は、通信回線を介して互いに接続されたサーバと注文入力装置とによって構成されるサーバ・クライアント環境において行うことで、一人の顧客がプリント注文受付装置を占有する時間を短くすることができるため、一般の顧客が操作を行うプリント注文受付装置を含むプリントシステムに特に有用である。
【図面の簡単な説明】
【０１２３】
【図１】本発明の実施形態に係るプリントシステムにおいてＤＰ店に設置される部分の全体斜視図である。
【図２】プリントシステムの構成を示すブロック図である。
【図３】受付装置の斜視図である。
【図４】受付装置のコントローラにおける機能を説明する機能ブロック図である。
【図５】サーバのコントローラにおける機能を説明する機能ブロック図である。
【図６】受付処理を示すフローチャートである。
【図７】注文内容設定処理を示すフローチャートである。
【図８】遠隔受付処理を示すフローチャートである。
【図９】待機画面を示す図である。
【図１０】サービス選択画面を示す図である。
【図１１】メディア選択画面を示す図である。
【図１２】メディアセット案内画面を示す図である。
【図１３】注文方法選択画面を示す図である。
【図１４】メディア取り出し案内画面を示す図である。
【図１５】受付証発行案内画面を示す図である。
【図１６】プリントサイズ選択画面を示す図である。
【図１７】プリント枚数設定画面を示す図である。
【図１８】名前入力画面を示す図である。
【図１９】電話番号入力画面を示す図である。
【図２０】注文内容確認画面を示す図である。
【図２１】第１の受付証を示す図である。
【図２２】第２の受付証を示す図である。
【符号の説明】
【０１２４】
１    プリント注文受付装置
１１  メディアドライブ（読込手段）
１２  ディスプレイ（表示手段）
１３  タッチパネル（入力手段）
１５  受付証プリンタ（受付証出力手段）
２０  コントローラ（制御手段）
２３  表示制御部
２４  入力処理部
２５  注文情報処理部
２６  注文情報保存部
６    通信回線
７    サーバ
７０  コントローラ（制御手段）
７８  ハードディスク（記憶手段）
８    注文入力装置
８１  ＰＣ
８２  携帯電話
【図１】
2006331228.tif 000003
【図２】
2006331228.tif 000004
【図３】
2006331228.tif 000005
【図４】
2006331228.tif 000006
【図５】
2006331228.tif 000007
【図６】
2006331228.tif 000008
【図７】
2006331228.tif 000009
【図８】
2006331228.tif 000010
【図９】
2006331228.tif 000011
【図１０】
2006331228.tif 000012
【図１１】
2006331228.tif 000013
【図１２】
2006331228.tif 000014
【図１３】
2006331228.tif 000015
【図１４】
2006331228.tif 000016
【図１５】
2006331228.tif 000017
【図１６】
2006331228.tif 000018
【図１７】
2006331228.tif 000019
【図１８】
2006331228.tif 000020
【図１９】
2006331228.tif 000021
【図２０】
2006331228.tif 000022
【図２１】
2006331228.tif 000023
【図２２】
2006331228.tif 000024